(57)【特許請求の範囲】
【請求項１】
電池パックと回路部との間に接続された抵抗と、
前記抵抗の両端の電位差を検出する減算手段と、
前記減算手段の出力電圧と所定の閾値電圧との大小に応じて異なるレベルの出力を発生する第１の比較手段と、
第１の動作モードにおいて電池電圧を複数の電圧範囲に分割するための閾値電圧を発生する第１の電池テーブルと、
第２の動作モードにおいて電池電圧を複数の電圧範囲に分割するための閾値電圧を発生する第２の電池テーブルと、
前記第１の比較手段の出力レベルに応じて前記第１の電池テーブル又は第２の電池テーブルの出力電圧を選択する切替手段と、
前記切替手段からの出力電圧と前記電池パックからの電池電圧とを比較して、前記第１の電池テーブル又は第２の電池テーブルにおける電圧範囲を示す出力を発生する第２の比較手段とを備えてなると共に、
前記第１の動作モードが、第１の周波数帯域における動作であり、前記第２の動作モードが、第２の周波数帯域における動作であることを特徴とする電池残量表示回路。
【請求項２】
電池パックからの出力電流をパワーアンプに供給する半導体スイッチ手段と、
前記半導体スイッチ手段の両端の電位差を検出する減算手段と、
前記減算手段の出力電圧と所定の閾値電圧との大小に応じて異なるレベルの出力を発生する第１の比較手段と、
第１の動作モードにおいて電池電圧を複数の電圧範囲に分割するための閾値電圧を発生する第１の電池テーブルと、
第２の動作モードにおいて電池電圧を複数の電圧範囲に分割するための閾値電圧を発生する第２の電池テーブルと、
前記第１の比較手段の出力レベルに応じて前記第１の電池テーブル又は第２の電池テーブルの出力電圧を選択する切替手段と、
前記切替手段からの出力電圧と前記電池パックからの電池電圧とを比較して、前記第１の電池テーブル又は第２の電池テーブルにおける電圧範囲を示す出力を発生する第２の比較手段とを備えてなると共に、
前記第１の動作モードが、第１の周波数帯域における動作であり、前記第２の動作モードが、第２の周波数帯域における動作であることを特徴とする電池残量表示回路。
【請求項３】
前記第１の電池テーブルと第２の電池テーブルとが、それぞれ複数の異なる値の閾値電圧を出力し、前記切替手段が複数の切替器からなり、前記第１の電池テーブルと第２の電池テーブルの対応するそれぞれの閾値電圧を切り替えて出力し、前記第２の比較手段が、前記複数の切替器からのそれぞれの出力と、前記電池パックからの電池電圧とを比較して、比較結果の出力を発生するように構成されていることを特徴とする請求項１又は２記載の電池残量表示回路。
【請求項４】
電池パックと回路部との間に接続された抵抗と、
前記抵抗の両端の電位差を検出する減算手段と、
前記減算手段の出力電圧と所定の閾値電圧との大小に応じて異なるレベルの出力を発生する第１の比較手段と、
第１の動作周波数帯域において電池電圧を複数の電圧範囲に分割するための閾値電圧を発生する第１の電池テーブルと、
第２の動作周波数帯域において電池電圧を複数の電圧範囲に分割するための閾値電圧を発生する第２の電池テーブルと、
前記第１の比較手段の出力レベルに応じて前記第１の電池テーブル又は第２の電池テーブルの出力電圧を選択する切替手段と、
前記切替手段からの出力電圧と前記電池パックからの電池電圧とを比較して、前記第１の電池テーブル又は第２の電池テーブルにおける電圧範囲を示す出力を発生する第２の比較手段とを備えたことを特徴とするデュアルバンド携帯電話機。
【請求項５】
電池パックからの出力電流をパワーアンプに供給する半導体スイッチ手段と、
前記半導体スイッチ手段の両端の電位差を検出する減算手段と、
前記減算手段の出力電圧と所定の閾値電圧との大小に応じて異なるレベルの出力を発生する第１の比較手段と、
第１の動作周波数帯域において電池電圧を複数の電圧範囲に分割するための閾値電圧を発生する第１の電池テーブルと、
第２の動作周波数帯域において電池電圧を複数の電圧範囲に分割するための閾値電圧を発生する第２の電池テーブルと、
前記第１の比較手段の出力レベルに応じて前記第１の電池テーブル又は第２の電池テーブルの出力電圧を選択する切替手段と、
前記切替手段からの出力電圧と前記電池パックからの電池電圧とを比較して、前記第１の電池テーブル又は第２の電池テーブルにおける電圧範囲を示す出力を発生する第２の比較手段とを備えたことを特徴とするデュアルバンド携帯電話機。
【請求項６】
前記第１の電池テーブルと第２の電池テーブルとが、それぞれ複数の異なる値の閾値電圧を出力し、前記切替手段が複数の切替器からなり、前記第１の電池テーブルと第２の電池テーブルの対応するそれぞれの閾値電圧を切り替えて出力し、前記第２の比較手段が、前記複数の切替器からのそれぞれの出力と、前記電池パックからの電池電圧とを比較して、比較結果の出力を発生するように構成されていることを特徴とする請求項４又は５記載のデュアルバンド携帯電話機。
【発明の詳細な説明】
【０００１】
【発明の属する技術分野】
この発明は、基地局の指示に応じて使用周波数帯域を選択するデュアルバンド携帯電話機等における、電池残量表示回路に関する。
【０００２】
【従来の技術】
携帯電話機においては、電源である電池が消耗すると通話できなくなるため、電池残量を表示できるようにして、使用不能になる前に、充電操作を行なうべき時期を、使用者が認識できるようにする方法がとられている。
一方、携帯電話機においては、複数の動作モードを切り換えて使用できるように構成されているものがある。この場合、動作モードによって装置消費電流が異なるため、電池残量表示も、動作モードに応じて、異なる基準に基づいて行なうことが必要になる。
従来、このような、デュアルモード携帯電話機における電池残量表示の例として、図５に示す、特願平１１−０２０５２１７号記載の技術がある。
この従来技術においては、動作モードとして、アナログ方式の場合と、ＣＤＭＡ（Code Division Multiple Access ）方式の場合との二つのモードを持っていて、それぞれの動作モードによって、使用周波数帯域が異なるのに従って装置消費電流が異なるため、動作モードに応じて、ＣＤＭＡ用電池テーブル１０１と、アナログ用電池テーブル１０２とを、利用者によるキー操作に基づく動作モード設定に応じて、切替器１０３を介して切り換えて比較器１０４に接続するようになっている。
比較器１０４では、いずれかの電池テーブルから出力される閾値電圧と、電池電圧検出手段１０５を介して検出された電池パック１０６の電圧との比較を行なうことによって、比較結果に応じて、図示されない電池残量表示部において、電池残量表示を行なわせるようになっている。
【０００３】
【発明が解決しようとする課題】
これに対して、デュアルモード携帯電話機においては、基地局からの指示に応じて、使用周波数帯域を選択する方式のものがあるが、この場合は、利用者の意図と無関係に、使用周波数帯域が切り換えられるため、上述の従来技術の電池残量表示方法では、利用者が意識しないのに、異なる周波数帯域の電池残量表示状態になっているため、残量表示上は使用可能な状態であるのにもかかわらず、電池が消耗して通話不能になることがあるという問題があった。
【０００４】
この発明は、上述の事情に鑑みてなされたものであって、基地局からの指示に応じて使用周波数帯域の切り替えを行なう方式のデュアルバンド携帯電話機等において、使用周波数帯域等の動作モードが切り替えられた場合でも、正しく電池残量表示を行なうことが可能な、電池残量表示回路及びデュアルバンド携帯電話機を提供することを目的としている。
【０００５】
【課題を解決するための手段】
上記課題を解決するために、上記課題を解決するため、請求項１記載の発明は、電池残量表示回路に係り、電池パックと回路部との間に接続された抵抗と、
前記抵抗の両端の電位差を検出する減算手段と、
前記減算手段の出力電圧と所定の閾値電圧との大小に応じて異なるレベルの出力を発生する第１の比較手段と、
第１の動作モードにおいて電池電圧を複数の電圧範囲に分割するための閾値電圧を発生する第１の電池テーブルと、
第２の動作モードにおいて電池電圧を複数の電圧範囲に分割するための閾値電圧を発生する第２の電池テーブルと、
前記第１の比較手段の出力レベルに応じて前記第１の電池テーブル又は第２の電池テーブルの出力電圧を選択する切替手段と、
前記切替手段からの出力電圧と前記電池パックからの電池電圧とを比較して、前記第１の電池テーブル又は第２の電池テーブルにおける電圧範囲を示す出力を発生する第２の比較手段とを備えてなると共に、
前記第１の動作モードが、第１の周波数帯域における動作であり、前記第２の動作モードが、第２の周波数帯域における動作であることを特徴としている。
【０００６】
また、請求項２記載の発明は、電池残量表示回路に係り、電池パックからの出力電流をパワーアンプに供給する半導体スイッチ手段と、
前記半導体スイッチ手段の両端の電位差を検出する減算手段と、
前記減算手段の出力電圧と所定の閾値電圧との大小に応じて異なるレベルの出力を発生する第１の比較手段と、
第１の動作モードにおいて電池電圧を複数の電圧範囲に分割するための閾値電圧を発生する第１の電池テーブルと、
第２の動作モードにおいて電池電圧を複数の電圧範囲に分割するための閾値電圧を発生する第２の電池テーブルと、
前記第１の比較手段の出力レベルに応じて前記第１の電池テーブル又は第２の電池テーブルの出力電圧を選択する切替手段と、
前記切替手段からの出力電圧と前記電池パックからの電池電圧とを比較して、前記第１の電池テーブル又は第２の電池テーブルにおける電圧範囲を示す出力を発生する第２の比較手段とを備えてなると共に、
前記第１の動作モードが、第１の周波数帯域における動作であり、前記第２の動作モードが、第２の周波数帯域における動作であることを特徴としている。
【０００８】
また、請求項３記載の発明は，請求項１又は２記載の電池残量表示回路に係り、上記第１の電池テーブルと第２の電池テーブルとが、それぞれ複数の異なる値の閾値電圧を出力し、上記切替手段が複数の切替器からなり、上記第１の電池テーブルと第２の電池テーブルの対応するそれぞれの閾値電圧を切り替えて出力し、上記第２の比較手段が、上記複数の切替器からのそれぞれの出力と、上記電池パックからの電池電圧とを比較して、比較結果の出力を発生するように構成されていることを特徴としている。
【０００９】
また、請求項４記載の発明は、デュアルバンド携帯電話機に係り、電池パックと回路部との間に接続された抵抗と、
上記抵抗の両端の電位差を検出する減算手段と、
上記減算手段の出力電圧と所定の閾値電圧との大小に応じて異なるレベルの出力を発生する第１の比較手段と、
第１の動作周波数帯域において電池電圧を複数の電圧範囲に分割するための閾値電圧を発生する第１の電池テーブルと、
第２の動作周波数帯域において電池電圧を複数の電圧範囲に分割するための閾値電圧を発生する第２の電池テーブルと、
上記第１の比較手段の出力レベルに応じて上記第１の電池テーブル又は第２の電池テーブルの出力電圧を選択する切替手段と、
上記切替手段からの出力電圧と上記電池パックからの電池電圧とを比較して、上記第１の電池テーブル又は第２の電池テーブルにおける電圧範囲を示す出力を発生する第２の比較手段とを備えたことを特徴としている。
【００１０】
また、請求項５記載の発明はデュアルバンド携帯電話機に係り、電池パックからの出力電流をパワーアンプに供給する半導体スイッチ手段と、
上記半導体スイッチ手段の両端の電位差を検出する減算手段と、
上記減算手段の出力電圧と所定の閾値電圧との大小に応じて異なるレベルの出力を発生する第１の比較手段と、
第１の動作周波数帯域において電池電圧を複数の電圧範囲に分割するための閾値電圧を発生する第１の電池テーブルと、
第２の動作周波数帯域において電池電圧を複数の電圧範囲に分割するための閾値電圧を発生する第２の電池テーブルと、
上記第１の比較手段の出力レベルに応じて上記第１の電池テーブル又は第２の電池テーブルの出力電圧を選択する切替手段と、
上記切替手段からの出力電圧と上記電池パックからの電池電圧とを比較して、上記第１の電池テーブル又は第２の電池テーブルにおける電圧範囲を示す出力を発生する第２の比較手段とを備えたことを特徴としている。
【００１１】
また、請求項６記載の発明は，請求項４又は５記載のデュアルバンド携帯電話機に係り、上記第１の電池テーブルと第２の電池テーブルとが、それぞれ複数の異なる値の閾値電圧を出力し、上記切替手段が複数の切替器からなり、上記第１の電池テーブルと第２の電池テーブルの対応するそれぞれの閾値電圧を切り替えて出力し、上記第２の比較手段が、上記複数の切替器からのそれぞれの出力と、上記電池パックからの電池電圧とを比較して、比較結果の出力を発生するように構成されていることを特徴としている。
【００１２】
この発明の構成では、減算手段によって、電池パックと回路部との間に接続された抵抗の両端の電位差、又は電池パックからの出力電流をパワーアンプに供給する半導体スイッチ手段の両端の電位差を検出し、第１の比較手段によって、減算手段の出力電圧と所定の閾値電圧との大小に応じて異なるレベルの出力を発生するとともに、第１の電池テーブルによって、第１の動作モード（第１の周波数帯域）において電池電圧を複数の電圧範囲に分割するための閾値電圧を発生し、第２の電池テーブルによって、第２の動作モード（第２の周波数帯域）において電池電圧を複数の電圧範囲に分割するための閾値電圧を発生し、切替手段によって、第１の比較手段の出力レベルに応じて第１の電池テーブル又は第２の電池テーブルの出力電圧を選択して、第２の比較手段によって、切替手段からの出力電圧と電池パックからの電池電圧とを比較して、第１の電池テーブル又は第２の電池テーブルにおける、どの電圧範囲であるかを示す出力を発生するようにしたので、現在の動作モード（周波数帯域）を自動的に把握して、電池残量表示部において、それぞれの動作モード（周波数帯域）における、電池残量を正しく表示することができる。
【００１３】
【発明の実施の形態】
以下、図面を参照して、この発明の実施の形態について説明する。説明は、実施例を用いて具体的に行う。
◇第１実施例
図１は、この発明の第１実施例である電池残量表示回路の構成を示すブロック図、図２は、デュアルバンド携帯電話機における電池電圧放電特性を例示する図、図３は、電池テーブルによる電池残量表示を説明するための図である。
【００１４】
この例の電池残量表示回路は、図１に示すように、電池パック１と、抵抗２と、減算器３と、閾値電圧源４と、比較器５と、８００ＭＨｚ用電池テーブル６と、１．５ＧＨｚ用電池テーブル７と、切替スイッチ８1 〜８3 と、比較器９1 〜９3 とから概略構成されている。
電池パック１は、図示されない携帯電話機に電源を供給するための電池を収容したものであって、その出力電圧は、抵抗２，減算器３のマイナス入力及び比較器９1 〜９3 のそれぞれのマイナス入力に印加される。抵抗２は、電池パック１から図示されない携帯電話機の回路部へ供給される電流の大きさに応じた電圧降下を発生するためのものであって、抵抗２の回路部側は、減算器３のプラス入力及び携帯電話機の回路部（不図示）に接続されている。減算器３は、抵抗２における電圧降下を示す出力電圧を発生するためのものであって、その出力は、比較器５のプラス入力へ接続されている。閾値電圧源４は、減算器３の出力電圧の大きさを判定するための閾値電圧を発生する。
【００１５】
比較器５は、減算器３の出力電圧と閾値電圧との大小を比較するためのものであって、そのマイナス入力には閾値電圧源４が接続されるとともに、その出力は、切替スイッチ８1 〜８3 のそれぞれの制御端子に接続されている。８００ＭＨｚ用電池テーブル６は、８００ＭＨｚの周波数帯域を使用時の、電池残量表示用の３種類の閾値電圧を出力する。１．５ＧＨｚ用電池テーブル７は、１．５ＧＨｚの周波数帯域を使用時の、電池残量表示用の３種類の閾値電圧を出力する。８００ＭＨｚ用電池テーブル６及び１．５ＧＨｚ用電池テーブル７の出力は、切替スイッチ８1 〜８3 のそれぞれの入力端子に接続されている。切替スイッチ８1 〜８3 は、比較器５の出力に応じて、８００ＭＨｚ用電池テーブル６と、１．５ＧＨｚ用電池テーブル７の出力を切り替えて、比較器９1 〜９3 のそれぞれのプラス入力に接続する。比較器９1 〜９3 は、それぞれ切替スイッチ８1 〜８3 の出力電圧と、電池パック１の電池電圧とを比較し、比較器９1 〜９3 のそれぞれの出力は、電池残量表示部（不図示）へ接続されて、電池残量の表示に用いられる。
【００１６】
以下、図１を参照して、この例の電池残量表示回路の動作を説明する。
電池パック１の出力直流電圧は、抵抗２を通過して図示されない携帯電話機回路部へ供給される。携帯電話機が送信中であるとき、減算器３は、プラス，マイナス両端子に入力された、抵抗２の両端の電圧を減算して、電位差を出力する。減算器３から出力された電位差は、予め使用周波数帯域による消費電流値の差異に基づいて算出された閾値電圧源４の電圧と比較されることによって、比較結果の出力電圧が発生する。比較器５の出力電圧は、減算器３の出力電位差が閾値電圧よりも高ければＨレベルであって、１．５ＧＨｚ帯で送信中であることを示し、閾値電圧よりも低ければＬレベルであって、８００ＭＨｚ帯で送信中であることを示す。
比較器５の出力電圧によって、切替スイッチ８1 〜８3 が切り替えられることによって、比較器５の出力電圧がＬレベルであるか、又はＨレベルであるかに応じて、予め、図２に示す電池電圧放電特性から定められた、８００ＭＨｚ用電池テーブル６、又は１．５ＧＨｚ用電池テーブル７が選択される。
比較器９1 〜９3 は、選択された電池テーブルのそれぞれ３本の出力線の電圧と、電池パック１からの電池電圧とをそれぞれ比較することによって、電池残量を示す３本の信号を、図示されない携帯電話機の電池残量表示部へ出力し、これによって、電池残量の表示が行なわれる。
【００１７】
次に図２及び図３を参照して、この例における、電池テーブルを用いた電池残量表示について詳細に説明する。
図２は、電池パック１における電池電圧の放電特性を示し、８００ＭＨｚ帯の場合と、１．５ＧＨｚ帯の場合のそれぞれについて、電池電圧と放電時間との関係が示されている。
図３は、図２に示された電池電圧放電特性に基づく、電池テーブルを用いた電池残量の表示方法を説明するものである。
電池残量は携帯電話機の電池残量表示部に表示される電池バーによって示され、電池電圧が高い順に、第１の電圧範囲は３本の電池バー（｜｜｜）で表示し、第２の電圧範囲は２本の電池バー（｜｜）で表示し、第３の電圧範囲は１本の電池バー（｜）で表示し、第４の電圧範囲は電池バーを表示しないことによって、各電圧範囲にあることを表すものとする。
各電圧範囲の電池電圧は、図２の放電特性から、携帯電話機が８００ＭＨｚの周波数帯域を選択している場合には、第１の電圧範囲は４．１５Ｖ以上、第２の電圧範囲は３．６Ｖ以上４．１５Ｖ未満、第３の電圧範囲は３．１Ｖ以上３．６Ｖ未満、第４の電圧範囲は３．１Ｖ未満とする。また、１．５ＧＨｚの周波数帯域を選択している場合には、第１の電圧範囲は４Ｖ以上、第２の電圧範囲は３．５Ｖ以上４Ｖ未満、第３の電圧範囲は３．１Ｖ以上３．５Ｖ未満、第４の電圧範囲は３．１Ｖ未満とする。
【００１８】
そこで、それぞれの電池テーブルからの３本の出力線によって、それぞれの電圧範囲の下端に当たる電圧を閾値電圧として出力する。従って、８００ＭＨｚの周波数帯域では、閾値電圧は高い方から順に、４．１５Ｖ，３．６Ｖ，３．１Ｖとなり、１．５ＧＨｚの周波数帯域では、同様に、４Ｖ，３．５Ｖ，３．１Ｖとなる。
使用周波数帯域に応じて切替スイッチ８1 〜８3 で切り替えることによって、どちらかの３種類の閾値電圧が、比較器９1 〜９3 のプラス入力に加えられて、それぞれマイナス入力における電池パック１の電圧と比較されるので、電池電圧が、第１の電圧範囲では、３個の比較器の出力が "１”となり、第２の電圧範囲では２個の比較器の出力が "１”となり、第３の電圧範囲では１個の比較器の出力が "１”となり、第４の電圧範囲では、 "１”の出力が発生しない。
従って、比較器９1 〜９3 の出力を図示されない電池残量表示部へ導いて、 "１”の出力に対応して電池バーを表示することによって、消費電流を異にする二つの周波数帯域において、それぞれ電池残量を表示することができるので、利用者は携帯電話機の残りの使用可能時間を確実に把握することが可能となる。
【００１９】
このように、この例の電池残量表示回路によれば、基地局の指示によって使用周波数帯域を切り替える方式のデュアルバンド携帯電話機において、現在送信している周波数帯域を自動的に把握するとともに、それぞれの周波数帯域における電池残量を知ることができるので、利用者が残りの通話可能時間を正確に把握することが可能になる。
【００２０】
◇第２実施例
図４は、この発明の第２実施例である電池残量表示回路の構成を示すブロック図である。
この例の電池残量表示回路は、図４に示すように、電池パック１と、減算器３と、閾値電圧源４と、比較器５と、８００ＭＨｚ用電池テーブル６と、１．５ＧＨｚ用電池テーブル７と、切替スイッチ８1 〜８3 と、比較器９1 〜９3 と、ＦＥＴ（Field Effect Transistor ）１０とから概略構成されている。
これらのうち、電池パック１，減算器３，閾値電圧源４，比較器５，８００ＭＨｚ用電池テーブル６，１．５ＧＨｚ用電池テーブル７，切替スイッチ８1 〜８3 ，比較器９1 〜９3 は、図１に示された第１実施例の場合と同様なので、以下においては、これらについての詳細な説明を省略する。
ＦＥＴ１０は、携帯電話機における送信電力発生用のパワーアンプ部（不図示）への電流供給をスイッチイングする。
【００２１】
以下、図４を参照して、この例の電池残量表示回路の動作を説明する。
通常、携帯電話機においては、受信中に比べて送信中の消費電流が大きく、さらに送信中の消費電流の大半は、パワーアンプにおいて費される。そして、周波数帯域によって、消費電流が大きく異なるのも、パワーアンプ部である。
そこで、一般的な携帯電話機では、パワーアンプ部には、必要最小限の時間だけ電圧が印加され、通話中の消費電流を最小限に保つように設計されるため、パワーアンプ部への給電は、ＦＥＴ１０を用いて、必要な時間だけ電池電圧を印加して行なうように、電池からの電流のスイッチングを行なっている。
ＦＥＴ１０には、一般的に、通電中は、ドレイン−ソース間に数ｍΩ以上の抵抗があるため、ドレイン，ソース間に電位差を生じるが、この電位差は、パワーアンプの消費電流によって異なっている。
そこで、ＦＥＴ１０のドレイン−ソース間の電位差を、減算器３によって検出し、検出した電位差を、比較器５において閾値電圧源４の閾値電圧と比較することによって、図１の場合と同様に、送信中の周波数帯域を認識することができる。
【００２２】
このようにすることによって、図１に示された第１実施例の場合の抵抗２を設ける必要なしに、既存の回路を利用して、周波数帯域の認識を行なうことが可能となり、従って、第１実施例の場合と同様に、８００ＭＨｚ用電池テーブル６と１．５ＧＨｚ用電池テーブル７の閾値電圧と、電池パック１からの電池電圧との比較を行なうことによって、電池バーによる電池残量表示を行なうことができるようになるので、携帯電話機の利用者は、残り通話可能時間を、正確に把握することが可能となる。
【００２３】
このように、この例の電池残量表示回路によれば、基地局の指示によって使用周波数帯域を切り替える方式のデュアルバンド携帯電話機において、現在送信している周波数帯域を自動的に把握して、それぞれの周波数帯域における電池残量を知ることができ、これによって、利用者が残りの通話可能時間を正確に把握することが可能になるとともに、この際、消費電流の検出のために、新たな回路を追加する必要がない。
【００２４】
以上、この発明の実施例を図面により詳述してきたが、具体的な構成はこの実施例に限られたものではなく、この発明の要旨を逸脱しない範囲の設計の変更等があってもこの発明に含まれる。例えば、実施例では、デュアルバンド携帯電話機の使用周波数帯域を、８００ＭＨｚ及び１．５ＧＨｚとしてが、これに限るものではなく、消費電流を異にする周波数帯域であれば、いかなる使用周波数帯域の組み合わせであってもよい。また実施例では、この発明の電池残量表示回路をデュアルバンド携帯電話機において使用する場合の例を示したが、これに限るものでなく、使用周波数帯域又はその他を要因とする動作モードに応じて、電源消費電流が変化する装置であれば、どのような装置にも適用することができる。
【００２５】
【発明の効果】
以上、説明したように、この発明の電池残量表示回路及び携帯電話機によれば、基地局の指示によって動作モード（周波数帯域）を切り替える方式のデュアルバンド携帯電話機等において、現在動作中のモード（周波数帯域）を自動的に把握するとともに、それぞれの動作モード（周波数帯域）における電池残量を知ることができるので、利用者が残りの使用可能時間を正確に把握することができるようになる。
【図面の簡単な説明】
【図１】この発明の第１実施例である電池残量表示回路の構成を示すブロック図である。
【図２】デュアルバンド携帯電話機における電池電圧放電特性を例示する図である。
【図３】電池テーブルによる電池残量表示を説明するための図である。
【図４】この発明の第２実施例である電池残量表示回路の構成を示すブロック図である。
【図５】従来のデュアルモード携帯電話機における電池残量表示の例を示す図である。
【符号の説明】
１      電池パック
２      抵抗
３      減算器（減算手段）
４      閾値電圧源
５      比較器（第１の比較手段）
６      ８００ＭＨｚ用電池テーブル（第１の電池テーブル）
７      １．５ＧＨｚ用電池テーブル（第２の電池テーブル）
８1 〜８3       切替スイッチ（切替手段）
９1 〜９3       比較器（第２の比較手段）
１０      ＦＥＴ（半導体スイッチ手段）
【図１】
0003683170.tif 000002
【図２】
0003683170.tif 000003
【図３】
0003683170.tif 000004
【図４】
0003683170.tif 000005
【図５】
0003683170.tif 000006